(57)【要約】【課題】  電子メールを受信した際に、重要度の高い電子メールを受信後直ちに開封しその内容を表示する携帯電話装置及び電子メール内容表示方法を提供する。【解決手段】  電子メールの内容を表示する表示手段４２と、受信した電子メールの重要度を判別するための判別条件を記憶する記憶手段４０と、判別条件に基づいて電子メールの重要度を判別し、電子メールの受信後直ちに重要度の高い電子メールを開封しその内容を表示手段４２に表示させる制御手段３６と、を有する構成とした。【選択図】      図１
2005234700.tif 000002
【特許請求の範囲】
【請求項１】
電子メールの内容を表示する表示手段と、
受信した電子メールの重要度を判別するための判別条件を記憶する記憶手段と、
前記判別条件に基づいて前記電子メールの重要度を判別し、前記電子メールの受信後直ちに重要度の高い前記電子メールを開封しその内容を前記表示手段に表示させる制御手段と、を有することを特徴とする携帯電話装置。
【請求項２】
前記記憶手段には特定人の電子メールアドレスが記憶され、
前記制御手段は、前記電子メールの送信者の電子メールアドレスが前記記憶手段に記憶された特定人の前記電子メールアドレスと一致すると判断した場合に、前記電子メールを開封しその内容を前記表示手段に表示させることを特徴とする請求項１に記載の携帯電話装置。
【請求項３】
受信した電子メールの重要度を判別するための判別条件に基づいて前記電子メールの重要度を制御手段に判別させる判別工程と、
前記判別工程で判別された重要度の高い前記電子メールを前記制御手段により前記電子メールの受信後直ちに開封しその内容を表示手段に表示させる制御工程と、
を有することを特徴とする電子メール内容表示方法。
【請求項４】
前記判別工程において前記電子メールの送信者の電子メールアドレスが特定人の電子メールアドレスと一致すると前記制御手段が判断した場合に、前記制御工程において前記制御手段により前記電子メールを開封しその内容を前記表示手段に表示させることを特徴とする請求項３に記載の電子メール内容表示方法。
【発明の詳細な説明】
【技術分野】
【０００１】
本発明は、電子メールの送受信が可能な携帯電話装置に関するものであり、特に重要な電子メールを受信後直ちに表示できる携帯電話装置及び電子メール内容表示方法に関する。
【背景技術】
【０００２】
従来の電子メール装置として、ＣＰＵがＲＡＭに格納されている受信メールの中で未開封の受信メールの数を数え、その数が所定値以上であれば、未開封の受信メールの中で最先に受信したものから自動的に開封処理を行い、表示装置に表示させるものが知られている。（下記特許文献１参照）。
【０００３】
この電子メール装置によれば、電子メールの受信者が多忙であるなど、受信メールをなかなか開封しない場合に、電子メールの内容が受信者に伝わらない問題点を解消することができるものとされている。
【特許文献１】特開平１１−１５４１３０号公報
【発明の開示】
【発明が解決しようとする課題】
【０００４】
ところで、上記電子メール装置では、未開封の受信メールが所定値以上になるまでは、受信者に受信した電子メールを知らせることができず、相変わらず受信者には受信メールの内容が伝わらない。このため、受信者は重要な電子メールの内容を見逃すことになり、不都合が生じる。
【０００５】
そこで、本発明は、上記事情を考慮し、電子メールを受信した際に、重要度の高い電子メールを受信後直ちに開封しその内容を表示する携帯電話装置及び電子メール内容表示方法を提供することを目的とする。
【課題を解決するための手段】
【０００６】
請求項１に記載の発明は、電子メールの内容を表示する表示手段と、受信した電子メールの重要度を判別するための判別条件を記憶する記憶手段と、前記判別条件に基づいて前記電子メールの重要度を判別し、前記電子メールの受信後直ちに重要度の高い前記電子メールを開封しその内容を前記表示手段に表示させる制御手段と、を有することを特徴とする。
【０００７】
請求項１に記載の発明によれば、受信した電子メールの重要度を判別するための判別条件が記憶手段に記憶される。電子メールを受信すると、記憶手段に記憶された判別条件に基づいて、受信した電子メールの重要度が制御手段により判別され、重要度の高い電子メールが受信後直ちに開封されてその内容が表示手段に表示される。これにより、ユーザは、表示手段を見るだけで重要度の高い電子メールの内容を受信後直ちに確認することができ、重要度の高い電子メールの内容を見逃してしまうことがない。
【０００８】
請求項２に記載の発明は、請求項１に記載の携帯電話装置において、前記記憶手段には特定人の電子メールアドレスが記憶され、前記制御手段は、前記電子メールの送信者の電子メールアドレスが前記記憶手段に記憶された特定人の前記電子メールアドレスと一致すると判断した場合に、前記電子メールを開封しその内容を前記表示手段に表示させることを特徴とする。
【０００９】
請求項２に記載の発明によれば、記憶手段には特定人の電子メールアドレスが記憶されており、電子メールの送信者の電子メールアドレスが記憶手段に記憶された特定人の電子メールアドレスと一致すると制御手段により判断された場合に、受信後直ちに受信した電子メールが開封され、その内容が表示手段に表示される。これにより、特定の送信者からの重要な電子メールの内容を見逃してしまうことがない。
【００１０】
請求項３に記載の発明は、受信した電子メールの重要度を判別するための判別条件に基づいて前記電子メールの重要度を制御手段に判別させる判別工程と、前記判別工程で判別された重要度の高い前記電子メールを前記制御手段により前記電子メールの受信後直ちに開封しその内容を表示手段に表示させる制御工程と、を有することを特徴とする。
【００１１】
請求項３に記載の発明によれば、判別工程において、受信した電子メールの重要度を判別するための判別条件に基づいて電子メールの重要度が制御手段により判別される。制御工程において、判別工程で判別された重要度の高い電子メールが制御手段により電子メールの受信後直ちに開封されてその内容が表示手段に表示される。これにより、ユーザは、表示手段を見るだけで重要度の高い電子メールの内容を受信後直ちに確認することができ、重要度の高い電子メールの内容を見逃してしまうことがない。
【００１２】
請求項４に記載の発明は、請求項３に記載の電子メール内容表示方法において、前記判別工程において前記電子メールの送信者の電子メールアドレスが特定人の電子メールアドレスと一致すると前記制御手段が判断した場合に、前記制御工程において前記制御手段により前記電子メールを開封しその内容を前記表示手段に表示させることを特徴とする。
【００１３】
請求項４に記載の発明によれば、判別工程において電子メールの送信者の電子メールアドレスが特定人の電子メールアドレスと一致すると制御手段により判断された場合に、制御工程において制御手段により電子メールが開封されその内容が表示手段に表示される。これにより、特定の送信者からの重要な電子メールの内容を見逃してしまうことがない。
【発明の効果】
【００１４】
請求項１に記載の発明は、受信した電子メールの重要度を判別するための判別条件が記憶手段に記憶され、電子メールを受信すると、記憶手段に記憶された判別条件に基づいて、受信した電子メールの重要度が制御手段により判別され、重要度の高い電子メールが制御手段により受信後直ちに開封されてその内容が表示手段に表示されるので、ユーザが表示手段を見るだけで重要度の高い電子メールの内容を受信後直ちにユーザに知らせることができる。
【００１５】
請求項２に記載の発明は、記憶手段には特定人の電子メールアドレスが記憶されており、電子メールの送信者の電子メールアドレスが記憶手段に記憶された特定人の電子メールアドレスと一致すると制御手段により判断された場合に、受信後直ちに受信した電子メールが開封されその内容が表示手段に表示されるので、特定の送信者からの重要な電子メールの内容をユーザに知らせることができる。
【００１６】
請求項３に記載の発明は、判別工程において受信した電子メールの重要度を判別するための判別条件に基づいて電子メールの重要度が制御手段により判別され、制御工程において判別工程で判別された重要度の高い電子メールが制御手段により電子メールの受信後直ちに開封されてその内容が表示手段に表示されるので、ユーザが表示手段を見るだけで重要度の高い電子メールの内容を受信後直ちにユーザに知らせることができる。
【００１７】
請求項４に記載の発明は、判別工程において電子メールの送信者の電子メールアドレスが特定人の電子メールアドレスと一致すると制御手段により判断された場合に、制御工程において制御手段により電子メールが開封されその内容が表示手段に表示されるので、特定の送信者からの重要な電子メールの内容をユーザに知らせることができる。
【発明を実施するための最良の形態】
【００１８】
次に、本発明の一実施形態に係る携帯電話装置について、図面を参照して説明する。
【００１９】
図１に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。
【００２０】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００２１】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２２】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２３】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２４】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２５】
また、通信部１２、ベースバンド部１４及び切替回路２２には、制御回路３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。制御回路３６は、ＲＯＭ３８と接続されており、ＲＯＭ３８に格納されているシステムプログラムに基づき各部を制御する。また、制御回路３６は、制御回路３６の動作に必要な所定の情報が記憶されているＲＡＭ４０と接続されている。
【００２６】
ここで、図３に示すように、ＲＡＭ４０は、電子メールデータ記憶部４０Ａと、重要度判別ルール記憶部４０Ｂと、を有している。
【００２７】
電子メールデータ記憶部４０Ａは、受信した電子メールを一時的に記憶する。重要度判別ルール記憶部４０Ｂは、電子メールの内容に対してどのような条件が成り立ったときに重要と判別するのかといった判別条件が記憶されている。例えば、特定の語句（キーワード）や、特定人の電子メールアドレスなどが記憶されており、具体的には、特定の語句として、「重要」、「緊急」、「変更」、「納期」等のユーザが早急に知る必要がある語句や、特定人の電子メールアドレスとして、「身内」や「会社の上司」などの電子メールアドレスがそれぞれ記憶されている。
【００２８】
また、制御回路３６は、上記した判別条件に基づいて、受信した電子メールの件名や内容（本文）に特定の語句（キーワード）が含まれているか否か、特定人からの電子メールか否かなどを判断する。例えば、制御回路３６は、電子メールの件名や内容（本文）に「重要」、「緊急」、「変更」等のユーザが早急に知る必要がある語句が含まれていると判断した場合、又は送信者が身内や会社の上司、取引先などの特定人であると判断した場合には、その電子メールは「重要である」と判別する。また、制御回路３６は、電子メールの件名や内容（本文）に「重要」、「緊急」、「変更」等のユーザが早急に知る必要がある語句が含まれておらず、更に送信者が身内や会社の上司、取引先以外の者であると判断した場合には、その電子メールは「重要でない」と判別する。さらに、制御回路３６は、「重要である」と判別した場合には、その受信した電子メールを開封した後、その内容を後述のディスプレイ４２に表示させる命令をディスプレイ４２に出力する。
【００２９】
また、制御回路３６には、液晶のディスプレイ４２が接続されている。このディスプレイ４２には、現在の時刻、電話番号、電子メールの内容等の所定の情報が表示される。例えば、ディスプレイ４２として、２つの液晶ディスプレイを有する折り畳み式の携帯電話装置の場合には、折り畳んだ状態で外部に露出するディスプレイ（以下、適宜「第１ディスプレイ」と称する。）や内部に隠れるディスプレイ（以下、適宜「第２ディスプレイ」と称する。）などがあり、さらに折り畳み式以外の携帯電話装置に設けられている全てのディスプレイも対象になる。
【００３０】
また、制御回路３６には、入力部４４が接続されている。この入力部４４は、電話番号等の入力を行うテンキー４８と、通話の開始を操作する通話キー５０と、通話の終了を操作する切キー５２と、各種機能の設定を行う機能キー５４と、を有している。
【００３１】
次に、本実施形態に係る携帯電話装置１０を用いた電子メール内容表示方法について、図２に示すフローチャートに基づいて説明する。
【００３２】
図２に示すように、先ず、ユーザが制御回路３６により「重要である」と判別させるための特定の語句（キーワード）や特定人の電子メールアドレス等の判別条件をＲＡＭ４０の重要度判別ルール記憶部４０Ｂに記憶させる（ステップ１００）。具体的には、「重要」、「緊急」、「変更」、「納期」等のユーザが早急に知る必要がある語句や、「身内」や「会社の上司」などの電子メールアドレスをそれぞれ記憶させる。
【００３３】
アンテナ１６を介して電子メールが通信部１２に受信される（ステップ１１０）と、受信された電子メールは、制御回路３６によりＲＡＭ４０の重要度判別ルール記憶部４０Ｂに記憶された判別条件に基づいてその重要度が判別される（判別工程、ステップ１２０）。このとき、制御回路３６は、電子メールの件名や内容（本文）に「緊急」、「重要」等の語句が含まれていると判断した場合、又は「身内」や「会社の上司」等の特定人からの電子メールであると判断した場合には、その電子メールは「重要である」と判別する。一方、制御回路３６は、電子メールの件名や内容（本文）に「緊急」、「重要」等の語句が含まれておらず、更に「身内」や「会社の上司」等の特定人からの電子メールではないと判断した場合には、その電子メールは「重要でない」と判別する。
【００３４】
制御回路３６により電子メールが「重要である」と判別された場合には、制御回路３６によりその電子メールが開封された後、その電子メールの内容を表示する命令がディスプレイ４２に出力され、これによりディスプレイ４２には重要な電子メールの内容が受信後直ちに表示される（制御工程、ステップ１４０）。
【００３５】
なお、ディスプレイ４２に表示された電子メールは、その後、ＲＡＭ４０の電子メールデータ記憶部４０Ａに格納される（ステップ１６０）。
【００３６】
一方、制御回路３６により電子メールが「重要でない」と判別された場合には、受信後直ちに開封されず、そのままＲＡＭ４０の電子メールデータ記憶部４０Ａに格納される（ステップ１６０）。
【００３７】
なお、電子メールは重要な電子メールをディスプレイ４２に表示してから電子メールデータ記憶部４０Ａに格納される構成に限られるものではなく、受信した電子メールを一度電子メールデータ記憶部４０Ａに格納してから重要な電子メールだけをディスプレイ４２に表示する構成にしてもよい。
【００３８】
以上のように、ユーザがディスプレイ４２を視認することにより、ユーザは受信した重要な電子メールの内容を受信後直ちに確認することができ、どんなに多忙なときにも重要度の高い電子メールの内容を見逃してしまうことがない。
【００３９】
特に、折り畳み式の携帯電話装置の場合に第１ディスプレイに重要な電子メールの内容を表示させることにより、携帯電話装置を折り畳んだ状態でもユーザが電子メールの内容を直ちに確認することができ、また、第２ディスプレイに重要な電子メールの内容を表示させることにより、第１ディスプレイがない場合や第１ディスプレイの表示領域が小さい場合、あるいはユーザが携帯電話装置を開いて電話を使用する際に、第２ディスプレイを見ることにより重要な電子メールの内容を直ちに確認することができる。
【００４０】
なお、電子メールの重要度を判別するための特定の語句（キーワード）や特定人の電子メールアドレスについても、上述した語句や電子メールアドレスに限られるものではなく、ユーザが重要であると考える他の語句（キーワード）や電子メールアドレスでもよい。これらは、ユーザが予め、ＲＡＭ４０の重要度判別ルール記憶部４０Ｂに記憶させることにより容易に設定変更することができる。
【図面の簡単な説明】
【００４１】
【図１】本発明の一実施形態に係る携帯電話装置のブロック図である。
【図２】本発明の一実施形態に係る携帯電話装置の作用を示すフローチャートである。
【図３】本発明の一実施形態に係る携帯電話装置を構成するＲＡＭの概略構成図である。
【符号の説明】
【００４２】
１０      携帯電話装置
３６      制御回路（制御手段）
４０Ｂ    重要度判別ルール記憶部（記憶手段）
４２      ディスプレイ（表示手段）
【図１】
2005234700.tif 000003
【図２】
2005234700.tif 000004
【図３】
2005234700.tif 000005